(57)【要約】  運動競技ベースランニングゲームで使用するためのベースは、グラウンドアンカーアセンブリを含み、これは、グラウンドプレー面に挿入するためのポスト、およびポストの上部に沿って配設された基部を含んでいる。ベースはまた、基部の上面に結合されたＸ字型プレートのような補強プレートを含む。Ｘ字型プレートは、ベースの４つのコーナーの剛性を高めるために、Ｘ字型配向で配置された４本のアームを有している。アームは、基部から半径方向で外側に延在している。カバーがＸ字型プレートの上に配設され、Ｘ字型プレートに結合されており、このカバーはオーバーモールド工程の一部として形成されることができる。【選択図】図１
2022502178.tif 000002
【特許請求の範囲】
【請求項１】
運動競技ベースランニングゲームで使用するためのベースであって、
グラウンドプレー面に挿入するためのポスト、および前記ポストの上部に沿って配設されたグラウンドアンカープレートを含むグラウンドアンカーアセンブリと、
前記グラウンドアンカープレートの上面に結合されたＸ字型プレートであって、前記Ｘ字型プレートがＸ字型配向で配置された４本のアームを有しており、前記アームが前記グラウンドアンカープレートから半径方向で外側に延在している、Ｘ字型プレートと、
前記Ｘ字型プレートの上に配設され、前記Ｘ字型プレートに結合したカバーと、を備える、ベース。
【請求項２】
前記グラウンドアンカープレートが、中央部分、および前記中央部分から外側に延在する４本のレッグを有し、各レッグが、前記Ｘ字型プレートを前記グラウンドアンカーアセンブリの前記グラウンドアンカープレートに結合するために、前記アームの近位領域に位置する締結具を受け入れるためのねじ付きインサートと位置合わせする貫通穴を有する、請求項１に記載のベース。
【請求項３】
前記ポストが正方形に形状化され、前記ポストのコーナーが前記４本のレッグに向けて配向され、第１の軸が、前記ポストの２つの対向するコーナー、および対向するレッグ内に形成された２つの貫通穴を貫通し、第２の軸が、前記ポストの他方の２つの対向するコーナー、および前記他方の対向するレッグ内に形成された２つの貫通穴を貫通する、請求項２に記載のベース。
【請求項４】
前記グラウンドアンカープレートの上面が、その上に形成された複数の相互接続された補強リブを含む、請求項１に記載のベース。
【請求項５】
２つの隣接するレッグの間の外側周縁部が、湾曲縁部を備える、請求項３に記載のベース。
【請求項６】
前記グラウンドアンカープレートが、第１の厚さを有する基材部分および第２の厚さを有する前記複数の補強リブによって画定され、前記第１の厚さが前記第２の厚さ未満になっている、請求項４に記載のベース。
【請求項７】
前記Ｘ字型プレートが、中央部分を有し、前記４本のアームがそこから半径方向に外側に延在し、前記Ｘ字型プレートの前記中央部分が、前記グラウンドアンカープレートの前記中央部分の上に重なり、前記グラウンドアンカープレートの前記レッグが、前記アームの近位領域に沿って延在する、請求項２に記載のベース。
【請求項８】
前記Ｘ字型プレートが、テーパー状構造を有し、そこで前記Ｘ字型プレートの幅がその近位領域からその遠位先端部に向け狭くなっている、請求項１に記載のベース。
【請求項９】
前記Ｘ字型プレートが非均一の厚さを有し、そこで前記Ｘ字型プレートが、その近位領域に最大厚さと、その遠位領域に最小厚さと、を有する、請求項１に記載のベース。
【請求項１０】
前記Ｘ字型プレートが、その底面に沿って形成され、中央部分の中にあり、前記４本のアームに沿ったものを含む補強リブを含む、請求項１に記載のベース。
【請求項１１】
前記アームの遠位領域にはリブがなく、滑らかな下面を有する、請求項１０に記載のベース。
【請求項１２】
各アームが、丸みを帯びた遠位端部を有する、請求項１に記載のベース。
【請求項１３】
前記ポストが、４つの側面によって画定された正方形の形状を有し、前記ポストの各側面が、前記ポストの前記側面が２つの隣接するアームの間にあるように配向されている、請求項１に記載のベース。
【請求項１４】
前記カバーの上面が、吸い取り水のための複数のエンボス加工された溝を含む、請求項１に記載のベース。
【請求項１５】
前記エンボス加工された溝は、前記溝が前記カバーのコーナーの中にないように配置されており、前記エンボス加工された溝を有さないＸ字形領域が形成されている、請求項１４に記載のベース。
【請求項１６】
運動競技ベースランニングゲームで使用するためのベースであって、
グラウンドプレー面に挿入するためのポストを含むグラウンドアンカーアセンブリと、
前記ポストの上で前記グラウンドアンカーアセンブリに結合され、剛性が増した局所化された領域を提供すると同時に、補強を欠いた領域も提供するように構成されている補強プレートと、
前記補強プレートの上に配設され、前記補強プレートに結合したカバーと、を備える、前記ベース。
【請求項１７】
剛性が増した前記局所化された領域が、前記ベースの４つのコーナー内に位置している、請求項１６に記載のベース。
【請求項１８】
補強を欠いた前記領域が、前記ベースの隣接するコーナー間に前記ベースの側面を備える、請求項１６に記載のベース。
【請求項１９】
前記グラウンドアンカーアセンブリが、前記ポストの上部に沿って配設されたグラウンドアンカープレートをさらに含み、前記補強プレートが、前記グラウンドアンカープレートの上面に結合されたＸ字型プレートを備え、前記Ｘ字型プレートがＸ字型配向で配置された４本のアームを有しており、前記アームが前記グラウンドアンカープレートから半径方向外側に延在しており、前記カバーが前記Ｘ字型プレートの上に配設され、前記Ｘ字型プレートに結合されている、請求項１６に記載のベース。
【請求項２０】
前記Ｘ字型プレートが、前記Ｘ字型プレートの底面に沿って形成された複数の補強リブを有し、前記補強リブがない遠位先端領域を備えた、請求項１９に記載のベース。
【請求項２１】
各アームがテーパー状構造を有し、そこで前記アームの幅が前記アームの近位領域内で遠位先端領域よりも広くなっており、前記アームがまた、前記近位領域が前記遠位先端領域の厚さよりも厚い厚さを有するような非均一の厚さを有している、請求項１９に記載のベース。
【請求項２２】
前記補強プレートが、前記補強プレートを前記グラウンドアンカーアセンブリのグラウンドアンカープレートに取り付けるための締結具を受け入れる複数のねじ付きインサートを有する、請求項１６に記載のベース。
【発明の詳細な説明】
【技術分野】
【０００１】
関連出願の相互参照
本出願は、２０１８年９月２７日に出願された米国特許出願第６２／７３７，５１６号の利益および優先権を主張し、参照によりその全体が本明細書に組み込まれている。
【０００２】
本発明は、スポーツ用器具、より具体的には、改良された野球用ベース、特に、野球、ソフトボール、または他の球技のために使用されるベースの取り付けおよび固定に関する。
【背景技術】
【０００３】
周知のように、野球は人気のある競技であり、特に、バッティングとフィールディングとを交互に行う２つの対抗するチーム間で行われるバットアンドボールゲームである。打席のチームのプレーヤーは、正方形のベースボールダイヤモンドのコーナーに設置された４つのベースセットを一周するか、または周回を完了することによって、得点を獲得することを試みる。プレーヤーはホームプレートでバッティングを行い、ファーストベース、セカンドベース、サードベースへと反時計回りに進み、ホームに戻って得点を獲得しなければならない。フィールドのチームは、アウトを記録することによって、得点することを防ぐことを試みる。
【０００４】
このように野球用ベースは野球場の必須な部品の１つである。プロ競技におけるこれらベースの構造については、メジャーリーグベースボールの規則集によって規定されている。他のリーグは他のガイドラインと規則を有することができる。しかしながら、全般的に、この規則は、色（白）、サイズ（例えば、１５インチ×１５インチ）、高さ、およびベースを形成してそれをグラウンドに取り付けるために使用される材料を規定している。ベースを周回するプレーヤーはベースと接触するため、ベースの構造は非常に重要である。典型的に、ベースは周辺領域から数インチの高さにあり、最大高さに向けてわずかにドーム状に隆起している。それらは重く、金属製スパイクの重みでは穴が開かなくなっている。下側の中央には突出した塊を含み、フィールド内の恒久的な穴と連係して、競技中およびプレーヤーがそこに力を加えたときにベースが所定の位置に留まることを確実にしている。
【０００５】
ベースを周回する間、または盗塁を試みる間、プレーヤーがベースに「滑り込む」必要がある場面がある。野球では、スライドは、ベースランナーとして行動するプレーヤーの動作であり、プレーヤーは、向かっているベースに非常に接近すると体をグラウンドに落とし、グラウンドに沿って滑り込んでベースに到達する。ベースランナーは、足から先、または頭から先になど、多くの異なる方法でベースに滑り込むことができ、かつ、多くの異なる理由のために滑り込むことができる。プレーヤーが「ベースに滑り込む」ときに怪我をさせないことは非常に重要であり、したがって、この目的並びに他の従来からある目的を考慮して野球用ベースを構築することが望ましい。
【０００６】
本発明は、上述の目的を対象としており、その解決策を提供している。
【発明の概要】
【０００７】
一実施態様では、運動競技ベースランニングゲームで使用するためのベースは、グラウンドアンカーアセンブリを含み、これは、グラウンドプレー面に挿入するためのポスト、およびポストの上部に沿って配置された基部を含んでいる。ベースはまた、基部の上面に結合されたＸ字型プレートのような補強プレートを含む。Ｘ字型プレートは、Ｘ字型配向で配置された４本のアームを有している。アームは、基部から半径方向で外側に延在している。カバーがＸ字型プレートの上に配設され、Ｘ字型プレートに結合されており、このカバーはオーバーモールド工程の一部として形成されることができる。
【０００８】
本明細書で開示されるベースは、フィールドに沿ったプレーヤーの動きを考慮して構築されており、特に、ベースは、ベースの他の領域では剛性が低下する一方で、局所化された剛性を有するように構築されている。より具体的には、プレーヤーがベースに滑り込むとき、および／またはベースを周回するときのように、典型的に、プレーヤーが接触するベースの領域を表すベースの側面に沿って、ベースは剛性が低減されるように構築されている。対照的に、その４つのコーナーでは、アームが４つのコーナーの中に存在するため、ベースの剛性は高くなっている。
【図面の簡単な説明】
【０００９】
【図１】第１の実施態様による野球用ベースの上面および側面斜視図である。
【図２】第２の実施態様による野球用ベースの上面および側面斜視図である。
【図３】第３の実施態様による野球用ベースの上面および側面斜視図である。
【図４】野球用ベースのグラウンドアンカーアセンブリの上面および側面斜視図である。
【図５】グラウンドアンカーアセンブリの上面図である。
【図６】グラウンドアンカーアセンブリの側面図である。
【図７】グラウンドアンカーアセンブリの底面図である。
【図８】グラウンドアンカーアセンブリに結合するためのＸ字型プレートの上面および側面斜視図である。
【図９】Ｘ字型プレートの底面および側面斜視図である。
【図１０】Ｘ字型プレートの側面図である。
【図１１】図１０の線Ａ−Ａに沿った断面図である。
【図１２】Ｘ字型プレートの別の側面図である。
【図１３】図１２の線Ｂ−Ｂに沿った断面図である。
【図１４】グラウンドアンカーに結合されたＸ字型プレートの上面および側面斜視図である。
【図１５】グラウンドアンカーに結合されたＸ字型プレートの底面および側面斜視図である。
【図１６】Ｘ字型プレートが埋め込まれたカバーの斜視図であり、例示を容易にするために、グラウンドアンカーアセンブリが省略されている。
【発明を実施するための形態】
【００１０】
図１は、例示的な一実施態様による野球用ベース１００を例示している。野球用ベース１００は、一般に、カバー１１０、および全体的に２００で示されているグラウンドアンカーアセンブリを含む。本明細書に記載されるように、カバー１００は、プレーヤーが接触するグラウンドプレー面の周りに置かれる野球用ベース１００の最上部である。グラウンドアンカー２００は、グラウンドプレー面に固定される部分である。
【００１１】
カバー１１０は、いくつかの技術のいずれかを使用してグラウンドアンカー２００に結合され、限定するものでないが、カバー１００を形成する材料がグラウンドアンカーアセンブリ２００の上にオーバーモールドされるオーバーモールド工程を含む。既知のように、オーバーモールディングは、組み合わせられた２つ以上の異なる材料を使用して単一部品が作成される工程である。典型的に、基材とも呼ばれることもある第１の材料は、製造工程中に後続材料（オーバーモールド材料）で部分的に、または完全に覆われる。代替的な方法には、機械式インターフェース／嵌合が含まれ得る。
【００１２】
カバー１１０は、グラウンドアンカー２００の上にオーバーモールドすることができる好適な材料を含む、いくつかの好適な材料のいずれかで形成されている。例えば、好適な材料には好適なポリマーが含まれ、一実施態様では、カバー１１０はウレタンで形成されている。既知のように、いくつか例を挙げると、ウレタンカバーおよびウレタンフォームを含む異なるタイプのウレタンがある。カバー１１０は、一体型の表層面、および一貫したグリップとクッション性のある支持とを提供するクッションコアを含み得る。
【００１３】
カバー１１０は、上面１１２および４つのコーナー１１４を備えた正方形である。カバー１１０が公式のリーグゲームでの使用を意図している場合は、幅、長さ、および高さを含む寸法は、関連するリーグ規則によって規定されている。図１では、上面１０２の中に、かつ上面１０２に沿って一体形成された表面溝１１５の形態の表面特徴を含む上面１１２を例示している。例示の実施形態では、溝１１５の２つの対向する開口端がカバー１１０の１つの側面に沿って位置しているという点で、各溝１１５は、カバー１１０の１つの側面に沿って形成されている。上面１１２に形成された溝は、カバー１１０の各側面が同じ溝プロファイルを有することができるという点で対称となり得る。示されるように、溝１１５は、上面を横切って延在し、カバー１１０の側壁に沿って下向きに巻いている。この構造により、上面からグラウンドプレー面に任意の水が溝を通り流されることができる。
【００１４】
様々な表面溝１１５が、溝で装飾されていないＸ字形領域１１７を画定していることが分かる。Ｘ字形領域１１７は、上面１１２の中心からカバー１１０のコーナーのうち１つまで延在しているアーム１１９を画定している。示されるように、カバー１１０のコーナーは、溝１１５を有さないが、滑らかである。
【００１５】
表面特徴は、エンボス加工などを含む、いくつかの好適な技術のいずれかによって形成され得る。
【００１６】
図２は、別の実施態様によるカバー１２０を例示している。カバー１２０は、溝１１５を有し、この実施態様においては、溝１１５は、グリップおよび吸い取り水を提供する滑らかなフェージング溝１１５であり得る。Ｘ字形領域１１７は、溝１１５の間で、及び溝１１５によって画定されている。カバー１２０は、グリップおよびクッションを提供するテクスチャを備えた有機ダイヤモンドパターン１１３を含む他の表面特徴を有することができる。カバー１２０はまた、一貫したグリップを提供する刻み付きテクスチャを有することができる。カバー１２０の中央領域は十分な表面積を有しており、ロゴまたは他の印が含まれることを可能にしている。
【００１７】
図３は、別の実施態様によるカバー１３０を例示しており、これはカバー１２０に類似しており、したがって、同様の要素に同様の番号が付けられている。カバー１３０は、一貫したグリップを提供する重装なテクスチャを含む。このテクスチャは、ダイヤモンドパターン１１３、Ｘ字形領域１１７などを含むカバー１３０の上面全体に適用されることができる。
【００１８】
グラウンドアンカーアセンブリ２００を含む本明細書に記載のベースのいずれも、カバー１１０、１２０、１３０のいずれか１つを含むか、または別のカバーを有することができることが理解されるであろう。言い換えると、本明細書で具体的に例示されていない他のカバーは、本明細書で例示および記載されているグラウンドアンカーアセンブリ２００とともに使用することができる。
【００１９】
グラウンドアンカーアセンブリ
ここで図４〜図１６を参照すると、グラウンドアンカーアセンブリ２００は、２つの部分で形成されており、つまり、グラウンドアンカーポスト２１０の形態の第１の部分、およびグラウンドアンカーポスト２１０に結合されているＸ字型プレート（補強プレート）２５０から形成されている。図４〜図７は、グラウンドアンカーポスト２１０をより詳細に例示しており、図８〜図１３は、Ｘ字型プレート２５０を例示している。
【００２０】
グラウンドアンカーポスト２１０は、本明細書に記載されるグラウンドプレー面に固定されているポスト２２０を有し、また、ポスト２２０の上部に沿って位置している基部（本明細書ではグラウンドアンカープレートとも称される）２３０も有している。基部２３０は、このようにポスト２２０の上に位置しており、基部２３０はポスト２２０のフットプリントよりも広いフットプリントを有していることから、ポスト２２０から半径方向で外側に延在している。
【００２１】
ポスト２２０は、示されているような正方形を含む任意の数の異なる形状を有するように形成され得る。ポスト２２０の長さは、野球用ベース１００をグラウンドプレー面に強固に固定するように選択されている。
【００２２】
基部２３０は、ポスト２２０の中心軸を通って延在する垂直面に垂直な平面内にある。
【００２３】
基部２３０は、ポスト２２０がそこから外向きに延在する底面２３２、およびそれに対向する上面２３４を有している。基部２３０は、中央部分２３６、およびそこから半径方向で外向きに延在する複数のコーナーレッグ２４０を有している。したがって、コーナーレッグ２４０は、一方の対のコーナーレッグ２４０が互いに対向しており、他方の対のコーナーレッグ２４０が互いに対向している２つの対として画定されている。示されるように、隣接するコーナーレッグ２４０間のインターフェースは、直角に形成される壁とは対照的に弧を描いた（湾曲した）外面２４５によって画定されている。
【００２４】
各コーナーレッグ２４０内には、単一の穴（貫通穴／開口部）２４２がある。この穴２４２は、本明細書で説明されているように、Ｘ字型プレート２５０をグラウンドアンカーポスト２１０に取り付けるための締結具を受け入れる。任意の数のボルト、ねじ、リベットなどを含む、任意の数の異なるタイプの締結具が使用され得る。
【００２５】
ポスト２２０は、中央部分２３６と位置合わせされ、およびコーナーレッグ２４０に対して位置合わせされ、コーナーレッグ２４０が正方形に形状化されたポスト２２０の１つのコーナーから外向きに突出するようになっている。ポスト２２０のコーナーおよびコーナーレッグ２４０は、これにより軸方向に位置合わせされている。
【００２６】
基部２３０の底面２３２は、グラウンドプレー面と接触する部分であり、滑らかなテクスチャと外観とを有することができる。対照的に、上面２３４は滑らかではないが、テクスチャが付けられている。より具体的には、一実施態様によれば、上面２３４は、複数の相互接続された（構造的／補強用）リブ２３９およびその上に形成されたフィレットを含むことができる。成形（射出成形など）された部品は、多くの場合、大きな荷重下で持ちこたえることが想定されている。基部２３０のような部品を増強する方法の１つは、設計に１つ以上のリブ２３９を追加することによって行われる。リブ２３９は、壁または平面（この場合、そこから上向きに延在するリブ２３９を備えた基部２３０の基材）から垂直に延在する薄い突起であり、追加の剛性および強度を提供する。設計者は通常、壁を厚くすることで部品の強度を高めようとする。残念ながら、壁が厚すぎると、反り、ヒケ、および他の欠陥が発生する可能性がある。リブ２３９のようなリブを使用する利点は、壁の厚さを増やすことなく部品の強度が増すことである。必要とされる材料が少ないことから、リブ２３９は、はるかに費用効果の高い解決策ともなり得る。また既知のように、機械工学では、フィレットは部品設計の内部コーナーまたは外部コーナーの丸みである。
【００２７】
示されるように、リブ２３９は、いくつかのパターンのいずれかで配置することができ、穴２４２の各々は、（穴２４２の周りの領域は応力が増加する領域であることから）その周りに形成された円形の補強リブを有しており、他のリブ２３９は、基部２３０の周縁部から内側に延在し、他のリブ２３９と接続して、リブ２３９のネットワークまたはマトリックスを形成する。リブ２３９は共通の高さを有しており、リブ２３９の上縁部が単一の平面内にあり、Ｘ字型プレート２５０が配設される平坦な表面を画定するようになっている。
【００２８】
ポスト２２０および基部２３０は、単一の一体構造であることができ、意図された用途のために十分な強度および剛性を有するいくつかの好適な材料のいずれかで形成され得る。一実施態様では、グラウンドアンカーポスト２１０は成形可能な材料で形成されており、グラウンドアンカーポート２１０は、従来の成形技術を使用して形成され、より具体的には、グラウンドアンカーポスト２１０は、基部２３０をＸ字型プレート２５０に取り付けるために使用される締結具のようなステンレス鋼ハードウェアとともに成形されたナイロンで形成されることができる。
【００２９】
一実施態様では、基部２３０は約３ｍｍの厚さを有し、リブ２３９は約６ｍｍの厚さを有している。ポスト２２０は、約３ｍｍの厚さを有することができる。
【００３０】
Ｘ字型プレート２５０は、基部２３０の上面２３４に向いて設置され、それに結合されるように構成されている。図面（図６および図７）に示されるように、Ｘ字型プレート２５０は、中央部分２５２、および中央部分２５２から半径方向で外向きに延在する複数のアーム２６０を有する。Ｘ字型プレート２５０は底面２５１を有しており、これは基部２３０の上面２３４および対向する上面２５３に向いて設置されている。
【００３１】
中央部分２５２は、中央部分２５２が基部２３０の中央部分２３６の上に位置決めされ、それに向いて設置するという点で、基部２３０の中央部分２３６に相補的なフットプリントを有している。したがって、中央部分２５２は、中央部分２３６と同じまたは類似の形状、および同じまたは類似の寸法のものである。Ｘ字型プレート２５０の下側（底面２５１）に沿って、中央部分２５２は、隆起した境界壁２５５によって画定されることができる。隆起した境界壁２５５によって画定された輪郭は、これにより基部２３０の周囲の輪郭と同じであるか、または類似している。境界壁２５５は、底面２５１から外向きに突出する一体型壁セグメントを備える（境界壁セグメントは、底面２５１に対して垂直に配向されることができる）。隆起した境界壁２５５は、約０．１２インチの幅を有し得る。
【００３２】
示されるように、各アーム２６０の遠位端（遠位先端部）２６２は丸みを帯びるようにされ得る。
【００３３】
各アーム２６０は細長い構造であり、例示されるように、アーム２６０は、アーム２６０の幅が、アーム２６０の中央部分２５２から遠位端または先端部２６２までの方向で変化するという点で、テーパー状構造を有することができる。より具体的には、アームの幅は、中央部分２５２から遠位端２６２までの方向で狭くなっている。
【００３４】
Ｘ字型プレート２５０の上面２５３は、好ましくは滑らかな表面であり、一方で反対側の底面２５１は、輪郭のある、滑らかでない構造を有している。図面に示されるように、Ｘ字型プレート２５０の下側（底面２５１）は、基部２３０の上面２３４に類似した複数の補強リブ２７０およびフィレットを含む。基部２３０のリブ２３９とは異なり、Ｘ字型プレート２５０の下側に沿ったリブ２７０は、変化する高さを有することができる。特に、中央部分２５２内（境界壁２５５内）のリブ２７０は、アーム２６０内で、かつアーム２６０に沿って位置するリブ２７０とは対照的に、より高い高さを有することができる。より具体的には、境界壁２５５は、アーム２７０に沿って位置するリブ２７０を含む他の領域内のリブ２７０よりも高い高さを有することができる。
【００３５】
基部２３０と同様に、Ｘ字型プレート２５０は、複数の貫通穴または開口部２５９を含み、これらはその中に形成されており、グラウンドアンカーポスト２１０の基部２３０がＸ字型プレート２５０と嵌合すると、基部２３０のコーナーレッグ２４０の穴２４２が、穴２５９と軸方向で位置合わせされ、締結具がＸ字型プレート２５０を基部２３０に強固に取り付けるために、位置合わせされた穴２４２、２５９を貫通するように位置決めされている。基部２３０のコーナーレッグ２４０は、アーム２６０の近位端に重なっている。
【００３６】
一実施態様では、開口部２５９はねじ付きインサートの形態であることができ、２つの部品を一緒に強固に取り付けるために締結具の外ねじと嵌合する内ねじを有する。開口部２５９は高応力領域に相当することから、開口部２５９の強度を高めるために、その周りに円形の補強リブ２７０が形成されている。
【００３７】
図面に示されるように、境界壁２５５の一部は、アーム２６０の近位端に沿って位置している。
【００３８】
アーム２６０は、遠位端２６２で終端する遠位領域２８０を含み、遠位領域２８０内の各アーム２６０の底面２５１は、リブ２７０を含まなくてもよい。言い換えれば、この遠位領域２８０は、その底面に沿って滑らかであることができる。アーム２６０に沿ったリブ２７０の方策的な位置決めおよび形成は、プレーヤーがベース周回するときプレーヤーがベースのコーナーを踏むようなベースに加えられる通常の荷重を考慮して、アーム２６０の屈曲の程度を制御するためのものである。
【００３９】
基部２３０の中央部分およびそこから延在するコーナーレッグ２４０と同様に、アーム２６０間のインターフェースは、直角ではなく曲面によって表される。
【００４０】
図１１および図１３の断面図に示されるように、Ｘ字型プレート２５０の中央部分２５２は、均一な厚さを有することができるが、しかしながらアーム２６０は、不均一な厚さを有するように形成されることができる。示されるように、アーム２６０は階段状の構造２７１を有し、特に境界壁２５５は、アーム２６０の近位領域内に段差２７１を画定することができる。示されるように、アーム２６０は、遠位領域２８０とは対照的に、近接領域内でより厚い厚さを有することができる。
【００４１】
一実施態様では、図１０〜図１３に示されるように、アーム２６０は近位領域および中間領域を有し、そこでは底面が１つのプレート内にあり、遠位領域２８０は、平坦な中間領域から遠位端（遠位先端部）まで下向きに延在する傾斜した、または角度の付いた部分であり得る。遠位領域２８０はこのように下向きに傾斜している。
【００４２】
一実施態様では、段差２７１から遠位先端部２６２までの距離は約７．０７インチであり、アーム２６０（壁２５５に隣接する）の近位領域の幅は約２．３５インチであり、遠位領域２８０内のアーム２６０の幅は約１．２１インチである。
【００４３】
示されるように、アーム２６０の相当な長さは、基部２３０の外側（半径方向で外側）にある。
【００４４】
したがって、示されるように、アーム２６０が中央部分２５２のコーナーから半径方向で外向きに延在するという現実によって、Ｘ字型プレート２５０はＸ字形をとり、中央部分２５２および基部２３０が同じかまたは類似のフットプリントを有することから、アーム２６０は、それらの両方から半径方向で外向きに延在することが理解される。
【００４５】
Ｘ字型プレート２５０は、限定するものではないが、成形可能な材料を含むいくつかの異なる材料のいずれかで形成することができる。一実施態様では、Ｘ字型プレート２５０は、成形されたナイロン材料で形成されている。
【００４６】
カバーの形成
本明細書で説明するように、一実施態様では、カバー１２０は、オーバーモールド工程などの従来の技術を使用して、グラウンドアンカーアセンブリ２００の上に形成されることができる。例えば、本明細書で記載されるように、Ｘ字型プレート２５０が金型部品に挿入され、そこに固定されることができ、次いで、金型部品が閉じられ、ウレタンのような成形可能な材料を注入して、Ｘ字型プレート２５０の上にカバーを形成することができ、Ｘ字型プレート２５０がカバーを形成する材料内に少なくとも部分的に埋め込まれるようになっている。カバー１２０の上面に沿った表面特徴は、オーバーモールド工程の間に形成される。４本のアーム２６０がこのように位置決めされ、カバー１２０のコーナーまで延在することが理解されるであろう（図１６）。言い換えると、４本のアーム２６０は、ベース１００の４つのコーナー内に位置しており、ベース１００の４つの側壁に直接隣接する領域を残して、Ｘ字型プレート２５０およびグラウンドアンカーアセンブリのような補強部材がないようにしている。
【００４７】
特性
前述のように、フィールドに沿ったプレーヤーの動きを考慮して構築されるベースを提供することが望まれており、特に、ベース１００は、局所的な剛性を有する一方で、ベース１００の他の領域では低減した剛性を有するように構築されている。より具体的には、プレーヤーがベースに滑り込むとき、および／またはベースを周回するときのように、典型的に、プレーヤーが接触するベース１００の領域を表すベース１００の側面に沿って、ベース１００は低減した剛性を有するように構築されている。対照的に、その４つのコーナーでは、ベース１００は、４つのコーナー内にアーム２６０が存在するために剛性が増加している。ベース１００の中央は、Ｘ字型プレート２５０および基部２３０の重なり合う中央セクションのために補強されている。
【００４８】
ベース１００の部品の試験は、水平方向に加えられる力と、垂直方向に加えられる力、ねじり力などとの両方を含む、通常プレー中に見られることが想定される力（荷重）にベース１００が耐え得ることを示している。これらの力（荷重）は、ベース１００の側面に滑り込むなど、ランナーの足がベース１００に接触することから生じる。本明細書に開示される補強リブは、特にベース１００の中央部分およびコーナーにベース１００の所望の剛性を提供する。ベース１００は、垂直方向、水平方向、およびねじり方向に十分な剛性を有する。
【００４９】
ベース１００は、局所的な剛性（剛性が増加した領域）を有すると同時に、ベース１００に沿って方策的に位置する剛性が低減した領域を有するように構築されている。より具体的には、剛性が増加したベースの領域は４つのコーナーであり、一方で剛性が低減したベースの領域はベース１００のコーナーの間に位置するベース１００の側面である。ランナーがベースの側面に滑り込むとき、ランナーの足または手は、典型的に、２本のアーム２６０の間に画定された、つまり、剛性が低下した領域を表すベースの一方の側面と接触することが理解される。
【００５０】
例示されたベース１００は、限定するものではないが、メジャーリーグベースボールを含む異なる管理団体からの適用可能な規則に準拠するように構築されている。メジャーリーグベースボールの規則に関して、規定する規則は以下のようになっている。
ファーストベース、セカンドベース、およびサードベースは、グラウンドに強固に取り付けられた白いキャンバスまたはゴムで覆われたバッグでマークする必要がある。バッグは１５インチ四方で、厚さが３インチ以上５インチ未満で、柔らかい素材で満たされている必要がある。
【００５１】
ベース１００はそのような規則に準拠している。
【００５２】
加えて、ベース１００は、一貫したグリップおよびクッション性を提供するカバー１１０、１２０、１３０上に画定された大きな中央スイートスポットを有する。ベース１００の顕著なコーナーは、ランナーに次のベースへの良いプッシュオフ、および野手に対する良いフィードバックを提供する。アーム２６０の間のベース１００の側面は、わずかに傾斜したプロファイルを有しており、このことで、縁部が向かって来るランナーを受け入れ易いものになるようにしている。さらに、コーナー表面の溝（ｇｒｏｏｖｅ）（溝（ｃｈａｎｎｅｌｉｎｇ）１１５）は、スライドにおけるフィンガーグリップを提供している。
【００５３】
設置
設置されるとき、ベース１００のポスト２２０は、グラウンド内に位置する穴または保持スリーブ内に挿入される。ポスト２２０は、垂直方向に移動することはできるが、水平方向に移動することはできない。カバー１１０、１２０、１３０の下側は、グラウンドプレー面に置かれることになる。
【００５４】
製造に関して、カバー１１０、１２０、１３０は、オーバーモールド工程を使用することによって、最初にＸ字型プレート２５０上に形成されることができ、次いで、グラウンドアンカーアセンブリ２００が、本明細書に記載の締結具を使用することにより、Ｘ字型プレート２５０に結合されることができることが理解されるであろう。例えば、金型は２つの部品を含むことができ、一方の金型の土台に沿って、ベースプレート２３０の形態の隆起した突起が設けられ、Ｘ字型プレート２５０がそこに取り付けられることを可能にし、カバー１１０、１２０、１３０がその上にオーバーモールドされることを可能にしている。成形後、Ｘ字型プレート２５０は、この隆起した金型構造から取り外されることができ、次いで、グラウンドアンカーアセンブリ２００と組み立てられることができる。同様に、他方の金型部品は、金型部品が閉じられ、金型材料が金型内に注入されるとき、溝１１５のようなカバー内の表面特徴を形成する隆起した構造を含むことができる。
【００５５】
Ｘ字型プレート２５０とともにカバーを形成することにより、この組み合わされた構造が平らに置けることから、輸送コストが低減され得る。別の場所では、グラウンドアンカーアセンブリ２００がＸ字型プレート２５０に取り付けられ得る。加えて、Ｘ字型プレート２５０およびグラウンドアンカーアセンブリ２００を分離する機能により、記念を目的として、組み合わされたカバーおよびＸ字型プレート２５０をグラウンドアンカーアセンブリ２００から容易に取り外すことを可能にしている。言い換えれば、ゲーム終了後、使用した組み合わされたカバーおよびＸ字型プレート２５０は取り外されて販売され、および／またはファン用の記念品として贈呈されることができる。ベース１００を展示するために、この構成（フットプリント）は、壁マウントが、Ｘ字型プレート２５０のねじ付きインサートと嵌合するねじ付き締結具を有することができることにより、容易な取り付けを可能にしている。
【実施例】
【００５６】
一実施態様では、Ｘ字型プレート２５０、グラウンドアンカープレート（基部２３０）、およびグラウンドアンカー２２０の各々は、高い剛性および寸法的安定性を有する繊維強化ポリアミド（ナイロン）材料で形成されている。
【００５７】
本発明は、例示的な実施形態を参照して説明されてきたが、当業者であれば、本発明の範囲から逸脱せずに、様々な変更を行うことができ、均等物を実施形態の要素の代わりに用いることができることを理解するであろう。加えて、本発明の基本的な範囲から逸脱せずに、特定の状況または材料を本発明の教示に適合させるための多くの変形がなされてもよい。したがって、本発明は、本発明を実施するために想到される最良の形態として開示される特定の実施形態に限定されることがなく、本発明は、添付の特許請求の範囲に収まる全ての実施形態を含むことが意図される。
【図１】
2022502178.tif 000003
【図２】
2022502178.tif 000004
【図３】
2022502178.tif 000005
【図４】
2022502178.tif 000006
【図５】
2022502178.tif 000007
【図６】
2022502178.tif 000008
【図７】
2022502178.tif 000009
【図８】
2022502178.tif 000010
【図９】
2022502178.tif 000011
【図１０】
2022502178.tif 000012
【図１１】
2022502178.tif 000013
【図１２】
2022502178.tif 000014
【図１３】
2022502178.tif 000015
【図１４】
2022502178.tif 000016
【図１５】
2022502178.tif 000017
【図１６】
2022502178.tif 000018
【国際調査報告】
2022502178.tif 000019